(57)【要約】      （修正有）【課題】衣服に縫製することなく、かつ生地を傷めずに取り付けが可能で、かつ強固に固定できるねじ固定ボタンを提供する。【解決手段】頭部４と軸部６を有し、軸部６の外周にメートル並目ねじとメートル細目ねじの二重ねじが形成されているボルト５を有し、軸部６を布地に挿入し、ボタン部８をメートル並目ねじにねじ込む。布地１５はボルト５の頭部７とボタン部８のフランジ９に挟まれて、ボルト５にボタン部８が強固にねじ固定される。軸部６のメートル細目ねじにボタン頭２がねじ込まれてダブルナットを構成し、ボルト５とボタン部８は強固にロックされ緩むことはない。【選択図】図１
0003219168.tif 000002
【実用新案登録請求の範囲】
【請求項１】
頭部（７，２２）と軸部（６，２４）を有し、前記軸部（６，２４）の外周にリードが異なる２種類のねじが形成されたボルト（５，２１）と、
前記軸部（６，２４）の一方のねじ山にねじ込まれ、前記頭部（７，２２）との間で布地を挟んで固定するボタン部（８，２７）と、
前記軸部（６，２４）の端部に、前記軸部（６，２４）の他方のねじ山にねじ込まれたボタン頭（２，３２）と
からなるねじ固定ボタン。
【請求項２】
請求項１に記載のねじ固定ボタンにおいて、
前記２種類のねじは、
前記ボタン部（８，２７）がねじ込まれた第１ねじと、
前記ボタン頭（２，３２）がねじ込まれた第２ねじとからなり、
前記第２ねじのリードより前記第１ねじのリードが大きいものである
ことを特徴とするねじ固定ボタン。
【請求項３】
請求項２に記載のねじ固定ボタンにおいて、
前記第１ねじ及び前記第２ねじは、前記軸部（６，２４）の同じ外周に形成されている二重ねじであり、前記第１ねじがメートル並目ねじであり、前記第２ねじがメートル細目ねじである
ことを特徴とするねじ固定ボタン。
【請求項４】
請求項２に記載のねじ固定ボタンにおいて、
前記第１ねじは、メートル並目ねじであり、前記第２ねじは、メートル細目ねじであり、前記メートル並目ねじと前記メートル細目ねじは、前記軸部（６，２４）の軸線方向に直列して配置されている
ことを特徴とする固定ボタン。
【請求項５】
請求項３又は４に記載のねじ固定ボタンにおいて、
前記ボタン部（８，２７）の外径が前記ボタン頭（２，３２）の外径より大径である
ことを特徴とする固定ボタン。
【請求項６】
請求項５に記載のねじ固定ボタンにおいて、
前記ボタン部（２７）に凹部（３１）が形成され、前記凹部（３１）に前記ボタン頭（３２）が挿入されている
ことを特徴とする固定ボタン。
【考案の詳細な説明】
【技術分野】
【０００１】
本考案は、ねじ固定ボタンに関する。更に詳しくは、ボタンを衣服に縫製することなく取り付けが可能で、かつ生地を傷めずに強固に固定できるねじ固定ボタンに関する。
【背景技術】
【０００２】
ボタンを衣服に取り付ける一般的な方法は、ボタンの二つ又は四つの孔に針を通して糸で縫い付ける方法である。このボタンの取り付け方法は、ボタン取り付けの専用ミシンが必要である、手縫いは技術を要し、縫製後ボタンが外れやすい等の欠点がある。これを解決するために、機械的に布地に固定する方法も提案されている。ボタンの軸部の先端を尖らせて形成し、この軸部の外周に歯を形成したネック部を衣服に突き刺して固定する。このネック部に噛み合う一種のラチェット歯が成形された取付部で、衣服に機械的に固定するものも提案されている（特許文献１）。また、先端が尖ったボタン頭と一体のピンネジで布地に突き刺した後、ピンネジにナットをねじ込んでボタンを布地に機械的に固定する方法も提案されている（特許文献２）。また、ねじとナットにより布地に固定する方法等も知られている（特許文献３）。
【０００３】
このボタンの取り付けとは全く関係はないが、機械要素として、ボルトとナットの締結において、この緩み止めのために、ボルトのねじを二重ねじ構造、即ち、メートル並目ねじとメールトル細目ねじの２種類のねじを形成し、これに二つのメートル並目ナットとメールトル細目ナットをねじ込んで、緩み止めをする方法が知られている（特許文献４）。
【先行技術文献】
【特許文献】
【０００４】
【特許文献１】特開平８−２１４９１５号公報
【特許文献２】特開平６−１２１７０３号公報
【特許文献３】実開昭５３−１１３７０２号公報
【特許文献４】特開２００４−３０６１３２
【考案の概要】
【考案が解決しようとする課題】
【０００５】
前述した先行技術の固定方法は、洗濯機による洗濯、激しい運動等により、縫製により取り付けられたボタンの場合は、糸が解ける、糸が切断される等の不具合が発生する、ねじ、ラチェットのような機械的に固定されたボタンの場合も同様に、ボタンが外れる、ねじが緩む等の不具合が発生することがある。
本発明は、以上のような技術背景で発明されたものであり、以下の目的を達成するものである。
本考案の目的は、衣服に縫製することなく取り付けが可能で、かつ強固に固定できる、ねじ固定ボタンを提供することにある。
本考案の他の目的は、生地を傷めずに強固に固定できる、ねじ固定ボタンを提供することにある。
本考案の更に他の目的は、緩みにくいダブルナット締結による、ねじ固定ボタンを提供することにある。
【課題を解決するための手段】
【０００６】
前記課題は以下の手段によって解決される。
すなわち、本考案１の固定ボタンは、
頭部（７，２２）と軸部（６，２４）を有し、前記軸部（６，２４）の外周にリードが異なる２種類のねじが形成されたボルト（５，２１）と、
前記軸部（６，２４）の一方のねじ山にねじ込まれ、前記頭部（７，２２）との間で布地を挟んで固定するボタン部（８，２７）と、
前記軸部（６，２４）の端部に、前記軸部（６，２４）の他方のねじ山にねじ込まれたボタン頭（２，３２）とからなる。
【０００７】
本考案２のねじ固定ボタンは、本考案１において、
前記２種類のねじは、
前記ボタン部（８，２７）がねじ込まれた第１ねじと、
前記ボタン頭（２，３２）がねじ込まれた第２ねじとからなり、
前記第２ねじのリードより前記第１ねじのリードが大きいものであることを特徴とする。
【０００８】
本考案３のねじ固定ボタンは、本考案２において、
前記第１ねじ及び前記第２ねじは、前記軸部（６，２４）の同じ外周に形成されている二重ねじであり、前記第１ねじがメートル並目ねじであり、前記第２ねじがメートル細目ねじであることを特徴とする。
【０００９】
本考案４のねじ固定ボタンは、本考案２において、
前記第１ねじは、メートル並目ねじであり、前記第２ねじは、メートル細目ねじであり、前記メートル並目ねじと前記メートル細目ねじは、前記軸部（６，２４）の軸線方向に直列して配置されていることを特徴とする。
【００１０】
本考案５のねじ固定ボタンは、本考案３又は４において、前記ボタン部（８，２７）の外径が前記ボタン頭（２，３２）の外径より大径であることを特徴とする。
本考案６のねじ固定ボタンは、本考案５において、前記ボタン部（２７）に凹部（３１）が形成され、前記凹部（３１）に前記ボタン頭（３２）が挿入されていることを特徴とする。
【考案の効果】
【００１１】
本考案のねじ固定ボタンは、縫製することなく布地に強固に固定できて、しかも洗濯等の物理的な負荷がかけられてもねじが緩むことはないので、布地から外れることはない。また、本考案のねじ固定ボタンは、ボタンの取り付けに特殊な工具、ミシン等の縫製機械も必要がない。
【図面の簡単な説明】
【００１２】
【図１】図１は、実施の形態１のねじ固定ボタンを示す図であり、図１（ａ）は平面図であり、図１（ｂ）は図１（ａ）のｂ−ｂで切断した断面図である。
【図２】図２は、実施の形態２のねじ固定ボタンを示す部分断面図である。
【考案を実施するための形態】
【００１３】
［実施の形態１］
以下、本考案の実施の形態１を図面に基づいて説明する。図１は、ねじ固定ボタンを示す図であり、図１（ａ）は平面図であり、図１（ｂ）は図１（ａ）のｂ−ｂで切断した断面図である。ねじ固定ボタン１は、ボタン頭２と布地に固定される固定部３からなる。本例のボタン頭２は、概略すると球（図示せず）の一部であり、球をある平面で切断した形状である。ボタン頭２の中心には、球の半径方向にねじ穴４が形成されている。ねじ穴４の内周孔には、メートル細目ねじが形成されている。メートル細目ねじには、ボルト５の先端部がねじ込まれている。ボルト５は、ボタンの軸部６を構成する。
【００１４】
ボルト５の軸部６の外周には、二重ねじが形成されている。所謂、円筒部６の同じ外周面に二種類のねじ山が形成されており、一種類はメートル並目ねじが形成され、かつ他の一種類はこのメートル並目ねじの上に形成されたメートル細目ねじである。ボルト５は、一端に円筒部６より大径の頭部７を備えている。ボルト５の円筒部６のメートル並目ねじには、一種のナットであるボタン部８がねじ込んである。ボタン部８は、これと一体に形成されたフランジ９を備えている。ボタン部８の中心には、貫通ねじ孔１０を有し、その内周面にはメートル並目ねじが形成されている。ボタン頭２のねじ穴４に形成されたメートル細目ねじは、ボルト５のメートル細目ねじにねじ込まれている。ボタン頭２は、ボルトナットの締結機構の緩み止めにおけるロックナットを構成する。従って、ボタン部８及びボタン頭２は、ダブルロックナットを構成する。なお、ボタン部８の上端（図１の図示上）の外径は、ボタン頭２の外径より小さいがデザインによっては、大径であっても良い。
【００１５】
［二重ねじボタン１の取り付け方］
衣服のボタン取付位置にボタンホールを開ける。穴径は、軸部６が挿入できる程度の大きさである。このボタンホールは、穴かがりをしたものが良いが、後述するように二重ねじボタンで強固に固定されるので、布地１５が解れることはなく、必ずしも穴かがりは必要ない。ボタンホールを開けた後、このボタンホールにボルト５の軸部６を挿入する。布地１５を挟んで、ボタン部８をボルト５の軸部６にねじ込む。ボタン部８の貫通孔１０には、その内周面にはメートル並目ねじが形成されているので、ボルト５の軸部６のメートル並目ねじと噛み合いねじ込まれる。このボタン部８のねじ込みにより、布地１５はボルト５の頭部７とボタン部８のフランジ９に挟まれて強固にねじ固定される。即ち、面積の大きい頭部７とフランジ９に挟まれて固定されるので、二重ねじボタン１は布地に安定して固定される。
【００１６】
この固定の後、ボタン頭２のねじ穴４をボルト５の軸部６にねじ込む。ボタン頭２のねじ穴４には、メートル細目ねじが形成されているので、メートル細目ねじは、ボルト５の軸部６の外周のメートル細目ねじと噛み合いねじ込まれる。そして、ボタン頭２の端面がボタン部８の端面に当接するまでねじ込む。このねじ込みにより、ボタン頭２、ボタン部８及びボルト５の３体は一体物となる。前述した説明から理解されるように、ボタン頭２はボタン部８の緩みを防止するためのロックナットであり、これで緩み止めの機能を果たす。二重ねじボタン１を使用するときは、他の布地１６のボタンホールにボタン部８を挿入して、ボタン留する。
【００１７】
［緩み止め機構の加工方法］
本実施の形態のボルト５の円筒部の二重ねじは、転造加工によって形成したものである。転造加工により、二重ねじを形成する方法は、前述した特許文献３に記載された転造加工方法である。前述した緩み止め機構は、ボルト５の円筒部６の外周にメートル並目ねじとメートル細目ねじを形成したものであったが、メートル並目ねじと変形した多条のメートル並目ねじを形成した二重ねじのものでも良い（例えば、ＷＯ２０１６／１９４８４２参照）。
【００１８】
［実施の形態２］
以下、本発明の実施の形態２を図面に基づいて説明する。図２は実施の形態２の二重ねじ固定ボタンの図１（ｂ）に相当する部分断面図である。二重ねじボタン２０は、ボルト２１、ボタン部２７、ボタン頭３２からなる。ボタン頭３２は、概略すると半球状の形状であり、この中心には、球の半径方向にねじ穴３３が形成されている。ボルト２１の軸部２４の外周には、メートル並目ねじ２５とメートル細目ねじ２６が形成されている。但し、このねじの形成は、実施の形態１と異なる。ボルト２１の頭部に近い軸部２４には、メートル並目ねじ２５が形成され、ボルト２１の先端部にはメートル細目ねじ２６が形成されている。即ち、実施の形態２では、メートル並目ねじ２５とメートル細目ねじ２６が直線状に配置されている。
【００１９】
ボルト２１のメートル並目ねじ２５には、一種のナットであるボタン部２７がねじ込んである。ボタン部２７の大径部３０には、凹部３１が形成されている。従って、ボタン部２７は、ボルト２１のメートル並目ネジ２５にねじ込まれている。なお、ボタン部２７の内径は、メートル細目ねじ２６の外径より大径である。凹部３１には、ボタン頭３２が挿入されている。ボタン頭３２のねじ穴３３に形成されたメートル細目ねじは、ボルト２１のメートル細目ねじ２６にねじ込まれている。従って、ボタン頭３２は、ボルトナットの締結機構の緩み止めにおけるロックナットを構成する。即ち、ボタン部２７で布地３５をボルト２１の頭部２２との間で固定した後、ボタン頭３２をねじ込んで、ボタン部２７とボタン頭３２を相互にロックする。
【００２０】
即ち、いわゆるダブルナット締結体を構成する。ボタン部２７の平面２８及びボルト２１の平面部２３は、スパナ等で締め付けるときに使用するものであり１８０度の位置に同様の平面を備えている。なお、本実施の形態２は、ボルト２１の軸部２４の外周にメートル並目ねじ２５とメートル細目ねじ２６が直線状に配置したものであったが、実施の形態１のようにボルト２１のネジ部分を二重螺子としても良い。
【００２１】
［その他の実施の形態］
前述したボルト５、ボルト２１は、ダブルロックナット締結のために、メートル並目ねじとメートル細目ねじが形成されたものであった。この締結の原理は、この両者のリードが異なる２種類のねじ山を用いて、両ナット間でロック力を確保するものである。従って、両者のリードが異なるものであれば、メートル並目ねじとメートル細目ねじに限ることはない。また、前述したボタン頭２，３２は、球の一部を切断した形状であったが、この形状に限ることはなく、多角形状、球状等であっても良い。二重ねじボタン１が取り付けられる衣服の色、デザインによって、取り替えるものであっても良い。また、前述した二重ねじボタン１，２０の素材は、金属であったが、合成樹脂等のようにボタンの素材として使われているものであれば金属以外の素材であっても良い。
【符号の説明】
【００２２】
１，２０…二重ねじボタン
２，３２…ボタン頭
４，３３…ねじ穴
６，２４…軸部
５，２１…ボルト
８，２７…ボタン部
１０…貫通ねじ孔
１５、１６，３５…布地
【図１】
0003219168.tif 000003
【図２】
0003219168.tif 000004
【手続補正書】
【提出日】平成30年10月3日(2018.10.3)
【手続補正１】
【補正対象書類名】実用新案登録請求の範囲
【補正対象項目名】全文
【補正方法】変更
【補正の内容】
【実用新案登録請求の範囲】
【請求項１】
頭部（７，２２）と軸部（６，２４）を有し、前記軸部（６，２４）の外周にリードが異なる２種類のねじが形成されたボルト（５，２１）と、
前記軸部（６，２４）の一方のねじ山にねじ込まれ、前記頭部（７，２２）との間で布地を挟んで固定するボタン部（８，２７）と、
前記軸部（６，２４）の端部に、前記軸部（６，２４）の他方のねじ山にねじ込まれたボタン頭（２，３２）と
からなるねじ固定ボタン。
【請求項２】
請求項１に記載のねじ固定ボタンにおいて、
前記２種類のねじは、
前記ボタン部（８，２７）がねじ込まれた第１ねじと、
前記ボタン頭（２，３２）がねじ込まれた第２ねじとからなり、
前記第２ねじのリードより前記第１ねじのリードが大きいものである
ことを特徴とするねじ固定ボタン。
【請求項３】
請求項２に記載のねじ固定ボタンにおいて、
前記第１ねじ及び前記第２ねじは、前記軸部（６，２４）の同じ外周に形成されている二重ねじであり、前記第１ねじがメートル並目ねじであり、前記第２ねじがメートル細目ねじである
ことを特徴とするねじ固定ボタン。
【請求項４】
請求項２に記載のねじ固定ボタンにおいて、
前記第１ねじは、メートル並目ねじであり、前記第２ねじは、メートル細目ねじであり、前記メートル並目ねじと前記メートル細目ねじは、前記軸部（６，２４）の軸線方向に直列して配置されている
ことを特徴とする固定ボタン。
【請求項５】
請求項３又は４に記載のねじ固定ボタンにおいて、
前記ボタン部（２７）の大径部（３０）の外径が前記ボタン頭（３２）の外径より大径である
ことを特徴とする固定ボタン。
【請求項６】
請求項５に記載のねじ固定ボタンにおいて、
前記大径部（３０）に凹部（３１）が形成され、前記凹部（３１）に前記ボタン頭（３２）が挿入されている
ことを特徴とする固定ボタン。
【手続補正２】
【補正対象書類名】明細書
【補正対象項目名】００１０
【補正方法】変更
【補正の内容】
【００１０】
本考案５のねじ固定ボタンは、本考案３又は４において、前記ボタン部（２７）の大径部（３０）の外径が前記ボタン頭（３２）の外径より大径であることを特徴とする。
本考案６のねじ固定ボタンは、本考案５において、前記大径部（３０）に凹部（３１）が形成され、前記凹部（３１）に前記ボタン頭（３２）が挿入されていることを特徴とする。